(57)【要約】【目的】  内容物の点検も取り替えもしないままに長期間放置されその過程でラジオや懐中電灯の電池切れ、非常食の腐食、薬剤の有効期間切れなどが生じてしまうことを防止することができる、緊急災害時の非常持ち出しリュックサックを提供する。【構成】  緊急災害時の非常持ち出しリュックサックであって、その表面側に、内容物の点検・取替え時期が到来したことをユーザーに表示する機能を有するカード状の警告用表示体を備えたことを特徴としている。【選択図】    図１
0003106973.tif 000002
【実用新案登録請求の範囲】
【請求項１】
緊急災害時の非常持ち出しリュックサックであって、その表面側に、内容物の点検・取替え時期が到来したことをユーザーに表示する機能を有するカード状警告用表示体を備えた、ことを特徴とする緊急災害時の非常持ち出しリュックサック。
【請求項２】
請求項１のリュックサックにおいて、さらに、前記リュックサックの表面側に、内容物の一覧を表示するためのカード状内容物表示体を備えた、ことを特徴とする緊急災害時の非常持ち出しリュックサック。
【請求項３】
請求項１又は２において、さらに、前記リュックサック内部には、圧縮空気を収納する圧縮空気タンクと、通常は押し潰された状態で収納されており前記圧縮空気タンクからの空気が供給されることにより浮き袋状に膨張するチューブであってその外表面の少なくとも一部に蓄光材料が塗布されているチューブと、前記圧縮空気タンクから前記チューブへの空気の供給を開始するためのスイッチ機構と、が備えられていることを特徴とする緊急災害時の非常持ち出しリュックサック。
【請求項４】
請求項１、２又は３において、さらに、前記リュックサック内部には、通常は数十センチメートルに縮めた状態で収納されており、使用時には約２〜３メートルまで伸ばすことができる伸縮棒であって、その先端に発光体が設けられている伸縮棒が備えられている、ことを特徴とする緊急災害時の非常持ち出しリュックサック。
【請求項５】
請求項１から４までのいずれかにおいて、さらに、前記リュックサックの外表面の少なくとも一部には、アニメ、漫画、又はスポーツ選手の画像が表示されている、ことを特徴とする緊急災害時の非常持ち出しリュックサック。
【請求項６】
請求項１から５までのいずれかにおいて、さらに、前記リュックサックの内部には、各内容物を所定の位置で保持又は交換するための留め具が備えられている、ことを特徴とする緊急災害時の非常持ち出しリュックサック。
【考案の詳細な説明】
【技術分野】
【０００１】
本考案は、地震や火災などの緊急災害時のために各家庭やオフィス内で予め用意しておく非常持ち出しリュックサックの改良に関する。
【背景技術】
【０００２】
従来より緊急災害時の非常持ち出しリュックサックが市販されたり、自治体から各家庭配布されたりもしており、その改良も種々提案されている。
【０００３】
例えば、特許文献１は、リュックサックの表面に蓄光材料で「非常持ち出し袋」などの表示をすることにより夜間などでも容易にその表示を確認することができる緊急災害時の非常持ち出しリュックサックを提案している。
【０００４】
また、例えば特許文献２は、リュックサックの内部を中仕切りにより複数の領域に分割し、ヘルメット、軍手、ロープ、ナイフ、懐中電灯、非常食、救急用品（薬剤など）などをそれぞれの領域に分けて収納するようにした緊急災害時の非常持ち出しリュックサックを提案している。
【特許文献１】実用新案登録第３０２２４０２号公報
【特許文献２】実用新案登録第３０１６８６３号公報
【考案の開示】
【考案が解決しようとする課題】
【０００５】
しかしながら、従来の緊急災害時の非常持ち出しリュックサックにおいては、内容物の点検も取り替えもしないままに長期間放置し、その過程でラジオや懐中電灯などの電池切れ、非常食の腐食、薬剤の有効期間切れなどが生じてしまい、緊急災害が発生したときにはほとんど役に立たないということが少なくなかった。
【０００６】
本考案はこのような従来技術の問題点に着目してなされたものであって、内容物の点検も取り替えもしないままに長期間放置されその過程でラジオや懐中電灯などの電池切れ、非常食の腐食、薬剤の有効期間切れなどが生じてしまうことを防止することができる、緊急災害時の非常持ち出しリュックサックを提供することを目的とする。
【０００７】
また、本考案は、ユーザーが、リュックサックの内容物をリュックサックの外部からでも容易に認識することができる、緊急災害時の非常持ち出しリュックサックを提供することを目的とする。
【０００８】
また、本考案は、河川の氾濫などの緊急災害時に、ユーザーが、リュックサック又はリュックサック内に収納されたチューブを浮き袋の代わりに利用することができる、緊急災害時の非常持ち出しリュックサックを提供することを目的とする。
【０００９】
また、本考案は、緊急災害時に、ユーザーが、リュックサック内に収納された伸縮棒を使用して暗闇の中でも安全に移動することができる、緊急災害時の非常持ち出しリュックサックを提供することを目的とする。
【００１０】
また、本考案は、緊急災害時に、幼児などでも容易にその在り場所を認識することができる、緊急災害時の非常持ち出しリュックサックを提供することを目的とする。
【００１１】
さらに、本考案は、ユーザーが、リュックサックの内部での各内容物の位置を正確且つ容易に把握し交換などすることができる、緊急災害時の非常持ち出しリュックサックを提供することを目的とする。
【課題を解決するための手段】
【００１２】
以上のような課題を解決するための本考案による緊急災害時の非常持ち出しリュックサックは、その表面側に、内容物の点検・取替え時期が到来したことをユーザーに表示する機能を有するカード状の警告用表示体を備えた、ことを特徴とするものである。
【００１３】
また、本考案による緊急災害時の非常持ち出しリュックサックにおいては、前記リュックサックの表面側に、内容物の一覧を表示するためのカード状の内容物表示体を備えた、ことが望ましい。
【００１４】
また、本考案による緊急災害時の非常持ち出しリュックサックにおいては、前記リュックサック内部に、圧縮空気を収納する圧縮空気タンクと、通常は押し潰された状態で収納されており前記圧縮空気タンクからの空気が供給されることにより浮き袋状に膨張するチューブであってその外表面の少なくとも一部に蓄光材料が塗布されているチューブと、前記圧縮空気タンクから前記チューブへの空気の供給を開始するためのスイッチ機構と、が備えられている、ことが望ましい。
【００１５】
また、本考案による緊急災害時の非常持ち出しリュックサックにおいては、前記リュックサック内部に、通常は数十センチメートルに縮めた状態で収納されており、使用時には約２〜３メートルまで伸ばすことができる伸縮棒であって、その先端に発光体が設けられている伸縮棒が備えられている、ことが望ましい。
【００１６】
また、本考案による緊急災害時の非常持ち出しリュックサックにおいては、前記リュックサックの外表面の少なくとも一部に、アニメ、漫画、又はスポーツ選手の画像が表示されている、ことが望ましい。
【００１７】
さらに、本考案による緊急災害時の非常持ち出しリュックサックにおいては、前記リュックサックの内部に、各内容物を所定の位置で保持又は交換するための留め具が備えられている、ことが望ましい。
【考案の効果】
【００１８】
本考案によれば、その表面側に、内容物の点検・取替え時期が到来したことをユーザーに表示する機能を有するカード状の警告用表示体を備えているので、従来のように、ユーザーが内容物の点検も取り替えもしないままに長期間放置し、その過程でラジオや懐中電灯などの電池切れ、非常食の腐食、薬剤の有効期間切れなどが生じてしまい、緊急災害が発生したときにはほとんど役に立たないという不都合を防止することができる。
【００１９】
また、本考案によれば、前記リュックサックの表面側に、内容物の一覧を表示するためのカード状の内容物表示体を備えるようにしたので、ユーザーが、リュックサックの内容物をリュックサックの外部からでも容易に認識することができるようになる。
【００２０】
また、本考案によれば、前記リュックサック内部に、圧縮空気を収納する圧縮空気タンクと、通常は押し潰された状態で収納されており前記圧縮空気タンクからの空気が供給されることにより浮き袋状に膨張するチューブであってその外表面の少なくとも一部に蓄光材料が塗布されているチューブと、前記圧縮空気タンクから前記チューブへの空気の供給を開始するためのスイッチ機構と備えるようにしたので、河川の氾濫などの緊急災害時でも、ユーザーは、リュックサック内に収納されたチューブを（又は前記チューブを収納したリュックサックそのものを）浮き袋の代わりに利用することができる。
【００２１】
また、本考案によれば、前記リュックサック内部に、通常は数十センチメートルに縮めた状態で収納されており、使用時には約２〜３メートルまで伸ばすことができる伸縮棒であって、その先端に発光体が設けられている伸縮棒を備えるようにしたので、夜間の緊急災害時でも、ユーザーは、リュックサック内に収納された伸縮棒を使用して暗闇の中でも安全に移動したり、下水道や河川の水深を測ることができるようになる。
【００２２】
また、本考案によれば、前記リュックサックの外表面の少なくとも一部に、アニメ、漫画、又はスポーツ選手の画像（幼児などが興味をもつ画像）を表示するようにしたので、幼児なども日常的に前記リュックサックに興味を示すようになり、緊急災害時には、幼児などでも容易にその在り場所を認識することができるようになる。
【００２３】
さらに、本考案によれば、前記リュックサックの内部に、各内容物を所定の位置で保持又は交換するための留め具を備えるようにしたので、ユーザーは、リュックサックの内部での各内容物の位置を正確に把握して各内容物の取り出しや交換をすることができるようになる。
【考案を実施するための最良の形態】
【００２４】
本考案を実施するための最良の形態は、以下の実施例１について述べるような形態である。
【実施例１】
【００２５】
図１は本考案の実施例１による緊急災害時の非常持ち出しリュックサックを示す斜視図である。図１において、１はリュックサック本体、２はリュックサック１の内部を開閉するためのファスナー、３はリュックサック１を背負うための肩掛け部、４は後述の警告用表示体を入れるための透明ポケット、５は前記透明ポケット４の中に挿入される警告用表示体（図１では前記透明ポケット４に挿入途中の状態を示している）、６は後述の内容物表示体を入れるための透明ポケット、７は前記透明ポケット６の中に挿入される内容物表示体（図１では前記透明ポケット６に挿入途中の状態を示している）、８ａ，８ｂは前記リュックサック１の外表面の一部に表示されたスポーツ選手の画像（又は、漫画やアニメ画像）である。
【００２６】
本実施例１では、前記リュックサック１の中には、例えば、懐中電灯、ラジオ、非常食（乾パン、ビスケット、チョコレートなど）、水ポトル、救急薬品セット、使い捨てカイロ、予備電池、カード式携帯電話、携帯雨カッパなどの様々な内容物が収納されている。
本実施例１では、前述のように、前記リュックサック１の外表面の一部にスポーツ選手の画像８ａ，８ｂ（又は、漫画やアニメ画像）が表示されているので、日頃から幼児などが興味を示し、緊急災害時には、幼児でも容易に前記リュックサック１を認識して取り出すことができる。
【００２７】
また、本実施例１では、前記透明ポケット４を構成する透明シート４ａには、空気の流通を可能にするための多数の微小な孔が形成されている。
【００２８】
次に、図２は前記警告用表示体５の構成を説明するためのものである。前記警告用表示体５は、通常は、図２（ａ）に示すように、その表面に文字などは表示されていないカード状の表示体である。しかし、この警告用表示体５は、内容物（例えば電池、非常食、薬剤など）の所定の点検・取替え期間、例えば６ヶ月が経過する頃になると、図２（ｂ）に示すように、その表面に、「点検・取り替えの時期になりました。」という文字（＝印刷体層５ａ）が表示されるようになっている。
【００２９】
図２（ｃ）は、このような警告用表示体５の構成を説明するための断面図である。図２（ｃ）において、５ｂは所定の色（例えば濃い青色）に着色された樹脂層、５ｃは前記樹脂層５ｂの上に積層された所定の低速度常温蒸散性液体を保持する保持体層、５ａは前記保持体層５ｃの上に、前記樹脂層５ｂの色と同系でこれより淡い濃度の色（例えば青色）で図２（ｂ）に示す文字を印刷（オフセット印刷）した印刷体層、である。
【００３０】
前記樹脂層５ｃは、例えば、２デニール以下の細デニール繊維を含む不織布に、低速度で常温で蒸散する低速度の経時的蒸散性の液体（後述）を含浸させて成るものである。前記不織布は、前述のように「２デニール以下の細デニール繊維」を含んでいるので、前記低速度経時的蒸散性液体を効率よく保持するのに適した適度な空隙を有している。本実施例１では、前記不織布に含浸する低速度で常温で蒸散する低速度経時的蒸散性液体として、例えば、株式会社白元（東京都台東区東上野２−２１−１４）が製造販売している液体防虫剤の「エムペントリン（商品名）」が使用されている。
【００３１】
また、前記樹脂層５ｃは、「光に対して低屈折率」となるように構成されている。したがって、前記の低速度で常温で蒸散する低速度経時的蒸散性液体が前記樹脂層５ｃに含浸されたときは、それぞれが有している光の屈折率がほぼ近いために、前記樹脂層５ｃが有している空隙を前記液体が満たしてしまうことにより、透明化する。その後、前記液体が期間の経過に伴ってほぼ全て蒸散したときは、透明でない状態になる（ユーザーには、前記樹脂層５ｃが前記樹脂層５ｂの色とは別系統の色に見える状態になる）。
【００３２】
本実施例１では、前記警告用表示体５は、前記透明ポケット４に挿入した当初は、前記樹脂層５ｃが有している空隙を前記低速度経時的蒸散性液体が満たしているので、前記樹脂層５ｃは透明の状態にある。よって、この状態では、ユーザーからは、前記樹脂層５ｃを透過して前記樹脂層５ｂの色（例えば濃い青色）が見えるので、前記樹脂層５ｃの上に印刷された前記印刷体層５ａ（文字を印刷したもの）は、前記樹脂体層６の色と同系の淡い色（例えば青色）であるため、前記樹脂層５ｂの色に紛れ込んでしまい、ユーザーからはほとんど見えない状態となる。よって、この場合の前記警告用表示体５は、図２（ａ）のように、前記印刷体層５ａ（文字を印刷したもの）の存在に拘わらず、文字は何も表示されていない状態となる。
【００３３】
その後、前記低速度経時的蒸散性液体が期間の経過と共に蒸散して、所定期間後に（例えば約６ヵ月後に）ほぼ全て蒸散したときは、前記樹脂層５ｃは、前述のように、透明でない状態になる（ユーザーには、前記樹脂層５ｃが前記樹脂層５ｂの色とは別系統の色に見える状態になる）。よって、この状態では、ユーザーからは、前記樹脂層５ｃ（前記印刷体層５ａとは別系統の色）が前記印刷体層５ａ（文字を印刷したもの）の背景となるので、前記印刷体層５ａの文字が前記樹脂層５ｃの上に浮かび上がって見える。よって、この場合の前記警告用表示体５は、図２（ｂ）のように、前記印刷体層５ａによる文字がはっきりと表示されている状態となる。
【００３４】
なお、以上の前記警告用表示体５の構成は、例えば特開平８−７３３０１号公報の内容を参考にしている（前記特開平８−７３３０１号公報の内容は本明細書に取り込む）。
【００３５】
次に、図３は、図１の内容物表示体７の一例を示すものである。この内容物表示体７は、紙製又はプラスチック製のカード状シートで、その表面には、図３に示すような、前記リュックサック１内の内容物（例えば、懐中電灯、ラジオ、非常食、薬剤など）が一覧で表示されている。この表示のための方法は、印刷、手書きなど種々の方法が可能である。
【００３６】
次に、図４は、図１のリュックサック１の内部に収納されている非常用浮き袋１０の構成を示すものである。図４において、１１は圧縮空気を収納する圧縮空気タンク、１２は通常は押し潰された状態で収納されており前記圧縮空気タンク１１からの空気が供給されることにより浮き袋状に膨張するチューブ、１２ａは前記チューブ１２の外表面の少なくとも一部に塗布された蓄光材料、１３は前記圧縮空気タンク１１から前記チューブ１２への空気の供給を開始するためのスイッチ機構（例えば金属製コック）、１４は前記圧縮空気タンク１１と前記チューブ１２とを接続するための接続部、である。前記圧縮空気タンク１１、チューブ１２、スイッチ機構１３、及び接続部１４により、前記非常用浮き袋１０が構成されている。
【００３７】
前記非常用浮き袋１０は、通常は、図４（ａ）のように前記チューブ１２が平たく折り重ねられた状態で、すなわち全体の容量が小さい状態で、前記リュックサック１内部に収納されている。前記非常用浮き袋１０は、災害などでの使用時には、ユーザーが前記スイッチ機構１３を操作することにより、前記圧縮空気タンク１１内の圧縮空気が瞬時に前記チューブ１２内に注入され、図４（ｂ）に示すような浮き袋の状態となる。なお、本実施例１では、図４（ｂ）に示す状態になった後、ユーザーは、前記接続部１４の部分を操作して、前記チューブ１２から前記圧縮空気タンク１１を取り外すことができる。なお、本実施例１では、前記チューブ１２の外周面に、前記蓄光材料の代わりに、発光ダイオードなどを装着して、非常時に点灯・点滅させるようにしてもよい。
【００３８】
次に、図５は、図１のリュックサック１内に収納される伸縮棒２０を説明するための図である。図５（ａ）は伸縮棒２０が約３０〜４０センチメートルの長さに縮められた状態を示す図、図５（ｂ）は伸縮棒２０が約３〜４メートルの長さに伸ばされた状態を示す図である。本実施例１では、前記伸縮棒２０の先端に、例えば発光ダイオードから成る発光体２１が備えられている。この発光体２１は、ユーザーが手元のスイッチ２２により点灯（点滅）するか消灯するかの操作が可能になっている。
【００３９】
本実施例１では、ユーザーは、緊急災害時には、前記リュックサック１から前記伸縮棒２０を取り出し、図５（ｂ）のように伸ばして、これを使用して暗闇の中を移動することができる。特に、本実施例１の伸縮棒２０には、その先端に発光体２１が備えられているので、暗闇の中でユーザーが誤って下水孔（災害時には河川からの水が逆流してマンホールの蓋が開いてしまうことが少なくない）の中に落ち込んでしまうことを防止することができる。また、ユーザーは、前記伸縮棒２０の先端の発光体により、下水孔や河川の水深を測ることもできる。
【００４０】
次に、図６は、本実施例１のリュックサック１の内部に備えられている、リュックサック１内の各内容物を所定の位置で保持・交換できるようにするための留め具３０を説明するための図である。この留め具３０は、例えば、前記リュックサック１の内部に横方向（ユーザーから見て左右方向）に設置されたレール部３１と、このレール部３１に移動自在に取り付けられたフック３２とから構成されている（前記レール部３１とフック３２とは、例えば、住宅のカーテン用のレール及びフックと類似の構造である）。前記フック３２には、図示のように、ユーザーが、懐中電灯３３、ラジオ３４、非常食（乾パン）３５などを所定の順序で取り付けることができるようになっている。したがって、ユーザーは、リュックサック１内での各内容物の位置を容易に認識することができるので、定期的な交換などが容易になると共に、災害時にはリュックサック１の内容物をすばやく取り出すことができるようになる。
【実施例２】
【００４１】
次に、本考案の実施例２を説明する。本実施例２の構成は、本実施例１の警告用表示体５の構成が異なることを除いては、実施例１と同様である。
【００４２】
図７は本実施例２の警告用表示体４０の構成を示す断面図である。図７において、４１は紙製又はプラスチック製のカード、４２は前記カード４１表面の上に特殊なインクで文字（図１（ｂ）に示すような文字）が印刷された印刷体層、４３は前記カード４１表面と前記印刷体層４２をカバーするためにそれらの上に貼り着けられた透明フィルムである。
【００４３】
前記印刷体層４２を構成する特殊インクは、所定期間における空気酸化により色が変色する材料から成る微粒子が混合されたインクにより構成されている。このような所定期間における空気酸化により色が変色する材料から成る微粒子は、例えば、銅などの金属微粒子である。
【００４４】
また、前記透明フィルム４３には、外部との空気の時間当たりの流通量を制御するために多数の微小な孔が形成されている。前記透明フィルム４３は、前記微小な孔の径や数を調整することにより、前記印刷体層４２に接触する外部からの空気の量を制御することができる。
【００４５】
本実施例２では、前記印刷体層４２に含まれる微粒子の特性と前記透明フィルム４３の微小な孔の径と数を調整することにより、前記微粒子の変色する期間を制御し、これによる前記印刷体層４２が表示する文字の色の変色する期間（＝リュックサック１の内容物の点検・取り替えのための警告表示期間）を制御・調整することができる。
【００４６】
前記印刷体層４２に含まれる微粒子として、例えば、銅の微粒子を使用した場合の動作を述べる。銅の微粒子は、空気接触による酸化により当初の赤橙色が緑青色に変色する。そこで、本実施例２においては、当初は、前記カード４１の表面を赤橙色に着色しておくと共に、前記印刷体層４２を赤橙色に形成しておく。この場合は、前記印刷体層４２による文字は、その背後のカード４１表面の色と同じであるため、ユーザーには見えない。その後、例えば６ヶ月の時間経過と共に、前記銅の微粒子が空気酸化により緑青色に変色すると、前記印刷体層４２の色が緑青色に変化するので、前記文字（緑青色）がカード４１表面（赤橙色）から浮き上がってユーザーに見えるようになる。
【実施例３】
【００４７】
次に、本考案の実施例３を説明する。本実施例３の構成は、本実施例１の警告用表示体５の構成が異なることを除いては、実施例１と同様である。
【００４８】
図８は本実施例３の警告用表示体５０の構成を示す断面図である。図８において、５１は紙製又はプラスチック製のカード、５２は前記カード５１表面の上に特殊なインクで文字（図１（ｂ）に示すような文字）が印刷された印刷体層である。
【００４９】
前記印刷体層５２を構成する特殊インクは、所定期間における受光により変色（又は退色）する着色剤を混入したインクにより構成されている。このような所定期間における受光により色が変退色する着色剤は、例えばインジゴカルミンなど、既に公知である。なお、特公平２−３３３８５公報には、前述のような光により色が変退色しやすい（日光堅牢度の低い）顔料又は染料の例が多数掲載されている（前記特公平２−３３３８５公報の内容は本明細書に取り込む）。
【００５０】
本実施例３では、前記印刷体層５２に含まれる前記着色剤の特性と混入量を調整することにより、前記印刷体層５２の変色する期間を制御し、これによる前記印刷体層４２が表示する文字の色の変色する期間（＝リュックサック１の内容物の点検・取り替えのための警告表示期間）を制御・調整することができる。
【００５１】
本実施例３において、前記印刷体層５２に含まれる着色剤として、例えば、数ヶ月（例えば約６ヶ月）の受光により色が変色する着色剤を使用した場合の動作を述べる。本実施例３においては、当初は、前記カード４１の表面を例えば赤色に着色しておくと共に、前記印刷体層４２も赤色の着色剤の混入により赤色に形成しておく。この場合は、前記印刷体層５２による文字は、その背後のカード４１表面の色と同じであるため、ユーザーにはほとんど見えない。その後、例えば６ヶ月の時間経過と共に、前記着色剤が長期間の受光により薄茶色に変色すると、前記印刷体層５２の色が薄茶色に変化するので、前記文字（薄茶色）がカード４１表面（赤色）から浮き上がってユーザーに見えるようになる。
【００５２】
以上、本考案の各実施例について説明したが、本考案及び本考案を構成する各構成要件は、それぞれ、前記の各実施例及び前記の各実施例を構成する各要素として述べたものに限定されるものではなく、様々な変更が可能であることは勿論である。また、本発明の警告用表示板の参考例として、株式会社白元が製造販売しているタンス用防虫剤「ミセスロイド」の中に添付されている「お取替えサイン（青色の表示カード）」がある。このサインは、約半年又は約１年経過すると、青色のカードの中に「おとりかえください」という白色の文字が浮き出る（表示される）ようになっている。
【図面の簡単な説明】
【００５３】
【図１】本考案の実施例１による緊急災害時の非常持ち出しリュックサックを示す概略図である。
【図２】本実施例１を構成する警告用表示体を説明するための図である。
【図３】本実施例１を構成する内容物表示体を説明するための図である。による
【図４】本実施例１を構成する非常用浮き袋を説明するための図である。による
【図５】本実施例１を構成する伸縮棒を説明するための図である。による
【図６】本実施例１を構成する留め具を説明するための図である。
【図７】本考案の実施例２を構成する警告用表示体を説明するための図である。
【図８】本考案の実施例３を構成する警告用表示体を説明するための図である。
【符号の説明】
【００５４】
１          リュックサック
４ａ      透明シート
４，６  透明ポケット
５，４０，５０ 警告用表示体
５ａ，４２，５２           印刷体層
５ｂ      樹脂層
５ｃ      保持体層
７          内容物表示体
８ａ，８ｂ         画像
１０      非常用浮き袋
１１      圧縮空気タンク
１２      チューブ
１３      スイッチ機構
１４      接続部
２０      伸縮棒
２１      発光体
２２      スイッチ
３０      留め具
３１      レール部
３２      フック
３３      懐中電灯
３４      ラジオ
４１，５１         カード
４３      透明フィルム
【図１】
0003106973.tif 000003
【図２】
0003106973.tif 000004
【図３】
0003106973.tif 000005
【図４】
0003106973.tif 000006
【図５】
0003106973.tif 000007
【図６】
0003106973.tif 000008
【図７】
0003106973.tif 000009
【図８】
0003106973.tif 000010